(57)【要約】【課題】空気清浄フィルタの配置位置を移動できる機能を有するとともに、優れた空気清浄フィルタの移動機構を備えた空気調和機を提供すること。【解決手段】吸込口１１から空気を吸い込ませるファン２０と、吸込口１１から空気を吸い込ませるファン２０と、ファン２０の動作により発生する空気流が吹き出す吹出口１２と、空気流に含まれている塵埃を集塵する空気清浄フィルタ８０と、少なくとも空気清浄フィルタ８０と空気清浄フィルタの一部を覆う枠体１４２、１４３とを有する空気清浄フィルタユニット１４０と、空気清浄フィルタユニット１４０の配置位置を移動させる移動装置９０と、空気清浄フィルタユニット１４０を支持する支持部１４５とを備え、支持部１４５の空気清浄フィルタユニット１４０の移動方向の長さは、移動時に空気清浄フィルタユニット１４０が支持部１４５により支持される部位の長さより短い空気調和機。【選択図】図８
2019060553.tif 000002
【特許請求の範囲】
【請求項１】
吸込口と、前記吸込口から空気を吸い込ませるファンと、
前記ファンの動作により発生する空気流が吹き出す吹出口と、
前記空気流に含まれている塵埃を集塵する空気清浄フィルタと、
少なくとも前記空気清浄フィルタと前記空気清浄フィルタの一部を覆う枠体とを有する空気清浄フィルタユニットと、
前記空気清浄フィルタユニットの配置位置を移動させる移動装置と、
前記空気清浄フィルタユニットを支持する支持部と、を備え、
前記支持部の前記空気清浄フィルタユニットの移動方向の長さは、
前記空気清浄フィルタユニットの移動時に、前記支持部により支持される前記空気清浄フィルタユニットの部位の長さよりも短く形成されていることを特徴とする空気調和機。
【請求項２】
前記支持部は、前記空気清浄フィルタユニットを上方側と下方側とから挟む構成であることを特徴とする請求項１に記載の空気調和機。
【請求項３】
前記支持部は、上側支持部と下側支持部とから構成され、前記下側支持部の前記空気清浄フィルタユニットの移動方向の長さは、前記上側支持部の前記空気清浄フィルタユニットの移動方向の長さよりも長く形成されていることを特徴とする請求項２に記載の空気調和機。
【請求項４】
前記空気清浄フィルタユニットは、前記支持部と接触しながら移動する構成であるとともに、前記空気清浄フィルタユニットの前記支持部と接触する部位の面積は、前記支持部の面積よりも小さく形成されていることを特徴とする請求項１〜３のいずれか１項に記載の空気調和機。
【発明の詳細な説明】
【技術分野】
【０００１】
本発明は、空気清浄フィルタを備えた空気調和機に関するものである。
【背景技術】
【０００２】
特許文献１は、気流の通風抵抗を増やさずに気流の清浄度を高めることができる空気調和機を提案している。
【０００３】
特許文献１は、気流の通路の横断面に開口面を区画する筐体と、第１区画に粗塵用フィルタを第２区画に空気清浄フィルタを有するエアフィルタと、開口面に空気清浄フィルタを配置する第１位置、および、開口面から少なくとも部分的に空気清浄フィルタをずらす第２位置との間でエアフィルタを駆動する駆動部材とを備えている。
【０００４】
そして、特許文献１の空気調和機によれば、開口面に空気清浄フィルタが位置すると、気流は空気清浄フィルタを通過することで空気清浄機能は実現される。
【０００５】
また、開口面から空気清浄フィルタがずらされると、開口面には粗塵用フィルタが位置し、粗塵用フィルタがエアフィルタとして機能するため、通風抵抗の増大は回避される。このように、必要なときにだけ空気清浄機能が実現されることで、空気調和機は通風抵抗の増加を抑制しつつ気流の清浄度を高めることができる。
【先行技術文献】
【特許文献】
【０００６】
【特許文献１】特開２０１６−１８３７９４号公報
【発明の概要】
【発明が解決しようとする課題】
【０００７】
しかしながら、特許文献１の空気調和機では、粗塵用フィルタと空気清浄フィルタとがエアフィルタとして一体であるため、エアフィルタの移動に伴い空気清浄フィルタも屈伸されるため、空気清浄フィルタの劣化を早めてしまうという課題を有していた。
【０００８】
本発明は、前記従来の課題を解決するもので、空気清浄フィルタの配置位置を移動できる機能を有するとともに、優れた空気清浄フィルタの移動機構を備えた空気調和機を提供することを目的とする。
【課題を解決するための手段】
【０００９】
上記従来の課題を解決するために本発明の空気調和機は、吸込口と、前記吸込口から空気を吸い込ませるファンと、前記ファンの動作により発生する空気流が吹き出す吹出口と、前記空気流に含まれている塵埃を集塵する空気清浄フィルタと、少なくとも前記空気清浄フィルタと前記空気清浄フィルタの一部を覆う枠体とを有する空気清浄フィルタユニットと、前記空気清浄フィルタユニットの配置位置を移動させる移動装置と、前記空気清浄フィルタユニットを支持する支持部と、を備え、前記支持部の前記空気清浄フィルタユニットの移動方向の長さは、前記空気清浄フィルタユニットの移動時に、前記支持部により支持される前記空気清浄フィルタユニットの部位の長さよりも短く形成されていることを特徴とするものである。
【００１０】
これにより、空気清浄フィルタユニットの移動範囲全域に対して、空気清浄フィルタユニットを支持する支持部を配置しないため、機器の小型化を実現することができる。
【発明の効果】
【００１１】
本発明によれば、空気清浄フィルタの配置位置を移動できる機能を有するとともに、優れた空気清浄フィルタの移動機構を備えた空気調和機を提供できる。
【図面の簡単な説明】
【００１２】
【図１】本発明の実施の形態１における空気調和機の室内機の第１の運転モードの縦断面図
【図２】同空気調和機の室内機の第２の運転モードの縦断面図
【図３】同空気調和機の室内機の第２の運転モードの縦断面図
【図４】同空気調和機のフィルタユニットの展開図
【図５】同空気調和機のフィルタユニットを室内機の筐体に取付ける状態を示す斜視図
【図６】同空気調和機の空気清浄フィルタユニットの分解図
【図７】同空気調和機の空気清浄フィルタユニットと移動装置とを連結した状態を示す縦断面図
【図８】同空気調和機の空気清浄フィルタユニットと移動装置とを連結した状態を示す他の縦断面図
【図９】図８のＡ方向から見たときの横断面図
【発明を実施するための形態】
【００１３】
第１の発明は、吸込口と、前記吸込口から空気を吸い込ませるファンと、前記ファンの動作により発生する空気流が吹き出す吹出口と、前記空気流に含まれている塵埃を集塵する空気清浄フィルタと、少なくとも前記空気清浄フィルタと前記空気清浄フィルタの一部を覆う枠体とを有する空気清浄フィルタユニットと、前記空気清浄フィルタユニットの配置位置を移動させる移動装置と、前記空気清浄フィルタユニットを支持する支持部と、を備え、前記支持部の前記空気清浄フィルタユニットの移動方向の長さは、前記空気清浄フィルタユニットの移動時に、前記支持部により支持される前記空気清浄フィルタユニットの部位の長さよりも短く形成されていることを特徴とする空気調和機である。
【００１４】
これにより、空気清浄フィルタユニットの移動範囲全域に対して、空気清浄フィルタユニットを支持する支持部を配置しないため、機器の小型化を実現することができる。
【００１５】
第２の発明は、特に、第１の発明において、前記複数の支持部は、前記空気清浄フィルタユニットを上方側と下方側とから挟む構成であることを特徴とするものである。
【００１６】
これにより、空気清浄フィルタユニットが自重により下方側に傾くのを抑制できる
第３の発明は、特に、第２の発明において、前記支持部は、上側支持部と下側支持部とから構成され、前記下側支持部の前記空気清浄フィルタユニットの移動方向の長さは、前記上側支持部の前記空気清浄フィルタユニットの移動方向の長さよりも長く形成されていることを特徴とするものである。
【００１７】
これにより、空気清浄フィルタユニットが、支持部より突出した際に、空気清浄フィルタユニットが自重により下方側に傾くのを抑制できる。
【００１８】
第４の発明は、特に、第１〜第３のいずれかの発明において、前記空気清浄フィルタユニットは、前記支持部と接触しながら移動する構成であるとともに、前記空気清浄フィルタユニットの前記支持部と接触する部位の面積は、前記支持部の面積よりも小さく形成されていることを特徴とするものである。
【００１９】
これにより、空気清浄フィルタユニットが移動する際の摩擦抵抗を小さくできるとともに、異物の噛み込みをも抑制でき、空気清浄フィルタユニットの移動をスムースに行うことができる。
【００２０】
以下、本発明の実施の形態について、図面を参照しながら説明する。なお、この実施の形態によって本発明が限定されるものではない。
【００２１】
（実施の形態１）
図１から図３は、本実施の形態による空気調和機の室内機の縦断面図である。
【００２２】
本実施の形態による空気調和機は、室内機と室外機とから構成される。室内機と室外機とは冷媒配管及び制御配線により接続され、室内機と室外機とによりヒートポンプが構成される。室外機にはコンプレッサが設けられている。室内機は、室内の壁面に取り付けられる。
【００２３】
本実施の形態による空気調和機の室内機は、吸込口１１と吹出口１２とを形成する本体１と、本体１の前面に設ける前面パネル２とを備えている。
【００２４】
吸込口１１は本体１の上面に形成され、吹出口１２は本体１の下面に形成される。本体１の後面１３は壁面に取り付けられる。本体１の内部には、吸込口１１から空気を吸い込ませるファン２０と、吸込口１１から吸い込まれた空気と熱交換する熱交換器３０とを設けている。ファン２０には、貫流ファン（クロスフローファン）が適している。ファン２０は、左右両端のいずれかの回転軸にファンモータを連結している（図示せず）。ファン２０の下流から吹出口１２の上流に至る下流空気流路４０は、ファン２０の下流に配置されて空気の流れを案内するリアガイダ４１と、このリアガイダ４１に対向して配置されたスタビライザ４２と、本体１の両側壁（図示せず）とで形成されている。
【００２５】
吹出口１２には、上下風向変更羽根５１と左右風向変更羽根５２とを設けている。左右風向変更羽根５２は上下風向変更羽根５１より上流側に配置している。上下風向変更羽根５１は、吹出口１２を開閉し、空気の吹き出しを上下方向に変更する。左右風向変更羽根５２は、空気の吹き出しを左右方向に変更する。
【００２６】
ファン２０の上流側の空気流路６０には、熱交換器３０とフィルタユニット１２０とが配置されている。フィルタユニット１２０は、エアフィルタユニット１３０と空気清浄フィルタユニット１４０とで構成され、空気清浄フィルタユニット１４０は、図４に示した、移動装置９０を介して、エアフィルタユニット１３０に連結されて、図５に示すように一つのユニットとして室内機の筐体内に収納されている。
【００２７】
エアフィルタユニット１３０は、図１に示すように、エアフィルタ７０と、エアフィルタ７０の一部を覆う枠体１３１と、エアフィルタ７０を自動清掃するための駆動部１３２と埃除去部１３３とで構成されている。
【００２８】
空気清浄フィルタユニット１４０は、図６に示すように、空気清浄フィルタ８０と、空気清浄フィルタ８０に対して、空気流路の上流側に配置された枠体１４２と、下流側に配置された枠体１４３とで、空気清浄フィルタ８０を覆うように構成されている。なお、この空気清浄フィルタユニット１４０に、脱臭フィルタ等の空気清浄フィルタ８０と異なる空気浄化機能を有する部材が、さらに設けられていても構わない。
【００２９】
また、枠体１４３には、係合部１４４が別部材で設けられており、係合部１４４に形成されているラック８１は、空気清浄フィルタユニット１４０を移動させるために回転する移動装置９０の歯車９２と係合している。
【００３０】
空気清浄フィルタ８０は、エアフィルタ７０とは別体として形成されている。エアフィルタ７０は、比較的大きな塵埃を捕獲することを目的とした租塵用のフィルタである。一方、空気清浄フィルタ８０は、前記エアフィルタ７０より通風抵抗が大きく、前記エアフィルタ７０を通過するような微粒子を捕獲することを目的としたフィルタであり、プリーツ式や不織布式が好ましい。
【００３１】
移動装置９０は、空気清浄フィルタユニット１４０の形状を変形させることなく、配置されているそのままの形状で、空気清浄フィルタユニット１４０の配置位置を移動させる。
【００３２】
移動装置９０は、例えば、モータ９１と歯車９２とで構成され、空気清浄フィルタユニット１４０の係合部１４４に形成されたラック８１に歯車９２を噛み合わせ、モータ９１で歯車９２を回転させることで、移動装置９０は空気清浄フィルタ８０を直接的に回動させ、配置位置を移動させる。
【００３３】
図７は、空気清浄フィルタユニット１４０と移動装置９０とを連結した状態の縦断面図である。なお、これは図１と逆方向から見た図である。
【００３４】
図７によれば、移動装置９０の歯車９２は平歯車（外歯車）であり、空気清浄フィルタユニット１４０の係合部１４４に形成されたラック８１は内歯車で、それらが噛み合う構成である。
【００３５】
なお、移動装置９０の歯車９２の数より、空気清浄フィルタユニット１４０の係合部１４４に形成されたラック８１の歯車の数の方が多く構成されている。
【００３６】
また、空気清浄フィルタユニット１４０の枠体１４２、１４３の少なくとも一部は、円弧状または湾曲状である。これにより、空気清浄フィルタユニット１４０を、限られた空間に配置することができる。
【００３７】
また、空気清浄フィルタ８０は、枠体１４２、１４３で覆われるため、空気清浄フィルタ８０の形状を変形させずに、空気清浄フィルタ８０の配置位置を移動させることができる。従って、空気清浄フィルタ８０は、屈伸されることがなく、耐久性を向上することができる。
【００３８】
また、空気清浄フィルタユニット１４０の係合部１４４を、枠体１４２、１４３と異なる潤滑性に優れた材料で形成することで、移動装置９０との係合における摺動性を良くすることができるため、駆動の耐久性を向上させることができる。
【００３９】
なお、枠体１４２、１４３は、潤滑性に優れた材料で形成する必要がないため、安価な材料を選定することができる。従って、空気清浄フィルタユニット１４０の低コスト化が図れる。
【００４０】
図８は、空気清浄フィルタユニット１４０と移動装置９０とを連結した状態の縦断面図である。なお、これは図１と同方向から見た図である。
【００４１】
図８によれば、空気清浄フィルタ８０、すなわち、空気清浄フィルタユニット１４０が配置位置を移動する際に、空気清浄フィルタユニット１４０の係合部１４４を支持する支持部１４５が、移動装置９０に設けられている。これは、図４にも記載されているが、支持部１４５は、上方側と下方側とから空気清浄フィルタユニット１４０を挟み込む上側支持部１４７と下側支持部１４６とから構成され、この長さは下側支持部１４６の方が上側支持部１４７よりも長く、かつ、上側支持部１４７と下側支持部１４６とにより支持される空気清浄フィルタユニット１４０の係合部１４４の長さよりも短く形成されている。
【００４２】
支持部１４５を構成する上側支持部１４７と下側支持部１４６とが、これらにより支持される空気清浄フィルタユニット１４０の係合部１４４の長さよりも短く形成されていることで、支持部１４５が設けられている移動装置９０の小型化を実現できる。
【００４３】
また、上側支持部１４７と下側支持部１４６とが、上方側と下方側とから空気清浄フィルタユニット１４０を挟む構成により、移動装置９０の小型化を実現できるとともに、空気清浄フィルタユニット１４０の自重により下方側に傾くのを抑制できる。
【００４４】
さらに、下側支持部１４６の方が上側支持部１４７よりも長いことで、空気清浄フィルタ８０、すなわち、空気清浄フィルタユニット１４０の配置位置が移動し、支持部１４５より突出した際、例えば、図２、図３に示すように空気流路６０に配置された際に、空気清浄フィルタユニット１４０の自重により下方側に傾くのを抑制できる。
【００４５】
また、移動装置９０の内方に、歯車９２を配設するとともに、空気清浄フィルタユニット１４０の移動機構部に相当する歯車９２とラック８１との噛み合い部を、上側支持部１４７と下側支持部１４６との間（上側支持部１４７と下側支持部１４６とに対向する位置）に配置したことで、空気清浄フィルタユニット１４０の移動機構部である歯車９２とラック８１との噛み合い部は、上側支持部１４７と下側支持部１４６と空気清浄フィルタユニット１４０の係合部１４４とで囲まれて露出することがないため、歯車９２とラック８１との噛み合い部への塵埃等の異物の侵入を抑制できる。
【００４６】
なお、空気清浄フィルタユニット１４０の係合部１４４に形成されたラック８１の前端および終端に、折り曲げ部１４９が形成されているため、特に、図１および図３に示される歯車９２の回転停止時における歯車９２への塵埃等の異物の侵入を抑制できる。
【００４７】
図９は、空気清浄フィルタユニット１４０と移動装置９０とを連結した状態の図８のＡ方向から見た横断面図である。
【００４８】
図９によれば、支持部１４５を構成する上側支持部１４７と下側支持部１４６に支持される空気清浄フィルタユニット１４０の係合部１４４の表面には、上側支持部１４７および下側支持部１４６より面積の小さい摺動部１４８が形成されている。
【００４９】
これによれば、空気清浄フィルタ８０、すなわち、空気清浄フィルタユニット１４０が配置位置を移動する際には、上側支持部１４７および下側支持部１４６と、それより面積の小さい空気清浄フィルタユニット１４０の係合部１４４の表面に形成されている摺動部１４８とが当接する構成のため、摩擦抵抗を小さくできるとともに、異物の噛み込みを抑制でき、空気清浄フィルタ８０、すなわち、空気清浄フィルタユニット１４０の移動をスムースに行うことができる。
【００５０】
なお、空気清浄フィルタ８０は、エアフィルタ７０より上流側の空気流路６０に配置する。空気清浄フィルタ８０をエアフィルタ７０より上流側の空気流路６０に配置することで、空気清浄フィルタ８０をエアフィルタ７０と熱交換器３０との間の空気流路６０に配置する場合と比較して、冷房運転時における結露による空気清浄フィルタ８０の性能低下を防止できる。
【００５１】
移動装置９０は、エアフィルタ７０より上流側の空気流路６０に配置することが好ましい。移動装置９０をエアフィルタ７０より上流側の空気流路６０に配置することで、移動装置９０をエアフィルタ７０と熱交換器３０との間の空気流路６０に配置する場合と比較して、冷房運転時における結露による移動装置９０への影響を少なくでき、更に移動装置９０による通風抵抗の増加を防止できる。
【００５２】
なお、空気清浄フィルタ８０をエアフィルタ７０より上流側の空気流路６０に配置し、移動装置９０をエアフィルタ７０と熱交換器３０との間の空気流路６０に配置することもできる。
【００５３】
本実施の形態による空気調和機は、少なくとも冷房運転、暖房運転、及び空気清浄運転を行うことができ、これら運転切り替えは操作装置１００にて使用者が指示を行える。
【００５４】
操作装置１００は、冷房運転を指示する操作スイッチ１０１、暖房運転を指示する操作スイッチ１０２、及び、空気清浄運転を指示する操作スイッチ１０３を備えている。空気清浄運転を指示する操作スイッチ１０３を使用者が操作した場合には、移動装置９０は、空気清浄フィルタユニット１４０の配置位置を移動させる。
【００５５】
このように、移動装置９０による空気清浄フィルタユニット１４０の配置位置の移動を指示する操作スイッチ１０３を備えることで、使用者は操作スイッチ１０３によって空気清浄機能を有効にさせる空気清浄運転を実行させることができる。
【００５６】
本実施の形態による空気調和機は、空気に含まれる塵埃の少なくとも有無を検知する塵埃検知センサ１１０を備えている。
【００５７】
塵埃検知センサ１１０が検知する空気の清浄度合いの結果に基づいて、移動装置９０は、空気清浄フィルタユニット１４０の配置位置を移動させる。本実施の形態によれば、塵埃検知センサ１１０が検知する空気の清浄度合いによって、すなわち、塵埃有の場合には空気清浄機能を有効にさせる空気清浄運転を実行させることができる。
【００５８】
本実施の形態による空気調和機は、吸込口１１から吸い込まれた空気が、エアフィルタ７０を通過して熱交換器３０と熱交換する第１の運転モードと、移動装置９０が、空気清浄フィルタユニット１４０の配置位置を移動させ、吸込口１１から吸い込まれた空気が、エアフィルタ７０と空気清浄フィルタ８０と熱交換器３０とを通過する第２の運転モードとを少なくとも有している。なお、第１の運転モード時に第２の運転モードが動作しても構わない。
【００５９】
操作スイッチ１０１を使用者が操作した場合に行われる冷房運転、及び操作スイッチ１０２を使用者が操作した場合に行われる暖房運転は、第１の運転モードである。操作スイッチ１０３を使用者が操作した場合に行われる空気清浄運転は、第２の運転モードである。
【００６０】
第２の運転モードにおけるファン２０の設定回転数は、第１の運転モードにおけるファン２０の少なくとも最低設定回転数よりも大きくする。例えば、第１の運転モードにおけるファン２０が、「弱」「中」「強」の回転数に変更できる場合に、第２の運転モードにおけるファン２０の設定回転数は、少なくとも「中」の回転数とするか、「弱」の回転数よりも大きく「中」の回転数よりも小さな回転数とする。
【００６１】
このように、第２の運転モードにおけるファン２０の設定回転数を、第１の運転モードにおけるファン２０の少なくとも最低設定回転数よりも大きくすることで、空気清浄フィルタ８０による通風抵抗の増加による、吹出口１２からの吹出風量低下を防止し、空気清浄機能を十分に発揮できる風量を確保することができる。
【００６２】
以上のように構成された空気調和機について、以下その動作について説明する。
【００６３】
なお、第１の運転モード及び第２の運転モードでは、いずれも上下風向変更羽根５１は吹出口１２を開いた状態にあるが、図１から図３では、いずれも空気清浄フィルタユニット１４０の動作だけを示している。
【００６４】
図１は、空気調和機の空調運転停止時及び第１の運転モード時を示している。空調運転停止時及び第１の運転モード時の状態においては、空気清浄フィルタユニット１４０は、本体１内、すなわち空気流路６０外に収納されている。収納状態では、空気清浄フィルタユニット１４０は、前面パネル２の内方に配置され、空気清浄フィルタユニット１４０の上端側に歯車９２が位置する。従って、空気清浄フィルタユニット１４０は、エアフィルタ７０の上流側の吸込口１１、すなわち空気流路６０を覆わない。この状態では、空気清浄機能は働かない。
【００６５】
図２及び図３は、空気調和機の第２の運転モード時を示している。図２では、空気清浄フィルタユニット１４０の一部が、エアフィルタ７０の上流側の吸込口１１、すなわち空気流路６０の一部を覆い、図３では、空気清浄フィルタユニット１４０のほぼ全てが、エアフィルタ７０の上流側の吸込口１１、すなわち空気流路６０の一部を覆っている。
【００６６】
図２の状態では、空気清浄フィルタユニット１４０の中央部分に歯車９２が位置し、図３の状態では、空気清浄フィルタユニット１４０の下端側に歯車９２が位置する。
【００６７】
モータ９１を正回転させることで、空気清浄フィルタユニット１４０は、図１の状態から図２の状態に回動し、空気清浄フィルタ８０および空気清浄フィルタユニット１４０が屈伸することなく、配置されているそのままの形状で配置位置が移動し、更にモータ９１を正回転させることで、空気清浄フィルタユニット１４０は、図２の状態から図３の状態に回動し、空気清浄フィルタ８０および空気清浄フィルタユニット１４０の形状が変形することなく、配置されているそのままの形状で配置位置が移動する。
【００６８】
つまり、吸込口１１、すなわち、空気流路６０を覆う流路面積が大きくなる方向に、空気清浄フィルタユニット１４０は配置位置を移動する。すなわち、空気清浄フィルタユニット１４０が、吸込口１１、すなわち、空気流路６０を覆う流路面積が次第に大きくなるように、空気清浄フィルタユニット１４０は配置位置を移動しているのである。このとき、図２や図３に示すように、空気清浄フィルタユニット１４０の少なくとも一部が、吸込口１１の外方側まで突出するように、空気清浄フィルタユニット１４０は配置位置を移動する。
【００６９】
また、モータ９１を逆回転させることで、空気清浄フィルタユニット１４０は、図３の状態から図２の状態に回動し、空気清浄フィルタ８０および空気清浄フィルタユニット１４０が屈伸することなく、配置されているそのままの形状で配置位置が移動し、更にモータ９１を逆回転させることで、空気清浄フィルタユニット１４０は、図２の状態から図１の状態に回動し、空気清浄フィルタ８０および空気清浄フィルタユニット１４０の形状が変形することなく、配置されているそのままの形状で配置位置が移動する。
【００７０】
つまり、吸込口１１、すなわち、空気流路６０を覆う流路面積が小さくなる方向に、空気清浄フィルタユニット１４０は配置位置を移動する。すなわち、空気清浄フィルタユニット１４０が、吸込口１１、すなわち、空気流路６０を覆う流路面積が、次第に小さくなるように、空気清浄フィルタユニット１４０は配置位置を移動しているのである。
【００７１】
塵埃検知センサ１１０による検知結果で清浄するか否かを判断して、移動装置９０が、空気清浄フィルタユニット１４０の配置位置を図１の状態と図３の状態とで移動させるものであってもよいが、塵埃検知センサ１１０による検知結果で、空気の清浄度合いを更に判断して、第２の運転モードを、図２に示す空気清浄フィルタユニット１４０の配置位置と、図３に示す空気清浄フィルタユニット１４０の配置位置とに切り替えてもよい。
【００７２】
また、空気清浄運転を指示する操作スイッチ１０３で、強運転と弱運転との切り替えを指示できるようにして、強運転が指示された場合には、図３に示す空気清浄フィルタユニット１４０の配置位置とし、弱運転が指示された場合には、図２に示す空気清浄フィルタユニット１４０の配置位置としてもよい。
【００７３】
また、本実施の形態では、第２の運転モードにおける空気清浄フィルタユニット１４０の配置位置を、図２の状態と図３の状態との２段階で説明したが、３段階以上の配置位置とすることもできる。
【００７４】
本実施の形態によれば、空気清浄フィルタユニット１４０を、限られた空間に収納できるとともに、空気の清浄度合いに応じた空気清浄機能運転の実行の切り替えを行うことができる。
【産業上の利用可能性】
【００７５】
以上のように、本発明にかかる空気調和機は、空気清浄フィルタの配置位置を移動できる機能を有するとともに、優れた空気清浄フィルタの移動機構を備えた空気調和機を提供できるため、家庭用のみならず業務用等の空気調和機にも適用できる。
【符号の説明】
【００７６】
１  本体
２  前面パネル
１１  吸込口
１２  吹出口
１３  後面
２０  ファン
３０  熱交換器
４０  下流空気流路
４１  リアガイダ
４２  スタビライザ
５１  上下風向変更羽根
５２  左右風向変更羽根
６０  空気流路
７０  エアフィルタ
８０  空気清浄フィルタ
８１  ラック
９０  移動装置
９１  モータ
９２  歯車
１００  操作装置
１０１、１０２、１０３  操作スイッチ
１１０  塵埃検知センサ
１２０  フィルタユニット
１３０  エアフィルタユニット
１３１  枠体
１３２  駆動部
１３３  埃除去部
１４０  空気清浄フィルタユニット
１４２、１４３  枠体
１４４  係合部
１４５  支持部
１４６  下側支持部
１４７  上側支持部
１４８  摺動部
１４９  折り曲げ部
【図１】
2019060553.tif 000003
【図２】
2019060553.tif 000004
【図３】
2019060553.tif 000005
【図４】
2019060553.tif 000006
【図５】
2019060553.tif 000007
【図６】
2019060553.tif 000008
【図７】
2019060553.tif 000009
【図８】
2019060553.tif 000010
【図９】
2019060553.tif 000011